(57)【要約】      （修正有）【課題】陳列棚や陳列物自体に映る光源の反射像が陳列物の色彩に与える影響を軽減し、陳列物が自然に近い色彩に見える光源装置を提供する。【解決手段】２列に配列された白色光発光ダイオード群３ａ，３ｂの列の間に、それらと平行に、２個の赤発光ダイオード４とその中間の１個の黄発光ダイオード５で構成される単位の列を配置する。【選択図】図１
0003132253.tif 000002
【実用新案登録請求の範囲】
【請求項１】
陳列物等の物品を照明するための光源装置において、
複数の発光ダイオードの少なくとも３の群から成り、第一および第二の群は白色光を発する発光ダイオードから成り、第三の群は赤色光を発する発光ダイオードと黄色光を発する発光ダイオードとから成り、
前記第一および第二の群に属する発光ダイオードは、互いに平行な２の直線または円弧の上にそれぞれ配置され、
前記第三の群に属する発光ダイオードは、前記２の直線または円弧の間に、それらと平行な又は平行に近い直線または円弧に沿って配置され、
前記第三の群は、赤色光を発する２個の発光ダイオードと、それらの間に位置する１個の黄色光を発する発光ダイオードとで構成される単位の列から成ることを特徴とする、光源装置。
【請求項２】
前記第三の群と前記第一の群の間の距離が、前記第三の群と前記第二の群の間の距離と等しい、請求項１の光源装置。
【請求項３】
前記第三の群において、前記黄色光を発する発光ダイオードが、前記赤色光を発する２個の発光ダイオードの間の中央に位置する、請求項１または２の光源装置。
【請求項４】
前記第一および第二の群に属する発光ダイオードが互いに平行な２の直線の上にそれぞれ配置され、前記第三の群に属する発光ダイオードが前記２の直線の間に直線に沿って配置される、請求項１、２、または３の光源装置。
【請求項５】
前記単位が直接隣接して配列される、請求項３または４の光源装置。
【請求項６】
前記第一の群の各発光ダイオードおよび前記第二の群の各発光ダイオードが、それぞれ等間隔で配置されている、請求項１または２の光源装置。
【請求項７】
前記第一の群の各発光ダイオードの間隔と、前記第二の群の各発光ダイオードの間隔とが等しい、請求項６の光源装置。
【請求項８】
前記第一の群の各発光ダイオードおよび前記第二の群の各発光ダイオードが、それぞれ等間隔で配置され、前記第一の群の各発光ダイオードの間隔と前記第二の群の各発光ダイオードの間隔とが等しい、請求項３の光源装置。
【請求項９】
前記単位が、前記赤色光を発する２個の発光ダイオードと前記黄色光を発する発光ダイオードの間に、少なくとも１の緑色光を発する発光ダイオードをも有する、請求項１ないし４いずれかの光源装置。
【請求項１０】
前記第三の群が２以上の前記単位から成り、これらの単位の少なくとも１は赤色光発光ダイオードと黄色光発光ダイオードのみから成り、前記単位の他の少なくとも１は、前記赤色光を発する２個の発光ダイオードと前記黄色光を発する発光ダイオードの間に緑色光発光ダイオードをも有する、請求項１ないし４いずれかの光源装置。
【請求項１１】
前記単位が、前記赤色光を発する２個の発光ダイオードと前記黄色光を発する発光ダイオードの間に、少なくとも１の青色光を発する発光ダイオードをも有する、請求項１ないし４いずれかの光源装置。
【請求項１２】
前記第三の群が２以上の前記単位から成り、これらの単位の少なくとも１は赤色光発光ダイオードと黄色光発光ダイオードのみから成り、前記単位の他の少なくとも１は、前記赤色光を発する２個の発光ダイオードと前記黄色光を発する発光ダイオードの間に青色光発光ダイオードをも有する、請求項１ないし４いずれかの光源装置。
【請求項１３】
前記発光ダイオードの前記第一の群と前記第二の群が、色度の同じ白色光を発する、請求項２、３、７または８の光源装置。
【請求項１４】
前記第一の群および前記第二の群の少なくとも一方が、色度の異なる少なくとも２種の発光ダイオードから成る、請求項１または１３の光源装置。
【請求項１５】
前記色度の異なる少なくとも２種の発光ダイオードが、青色光発光ダイオードと、青色光により励起されて緑色、黄色、または赤色の蛍光を発する蛍光体を保持する発光ダイオードとを含む、請求項１４の光源装置。
【請求項１６】
陳列物等の物品を照明するための光源装置において、
複数の発光ダイオードの少なくとも３の群から成り、第一および第二の群は白色光を発する発光ダイオードから成り、第三の群は赤色光を発する発光ダイオードと黄色光を発する発光ダイオードとから成り、
前記第一および第二の群に属する発光ダイオードは、互いに平行な２の直線または円弧の上にそれぞれ配置され、
前記第三の群に属する発光ダイオードは、前記２の直線または円弧の間に、それらと平行な又は平行に近い直線または円弧に沿って配置され、
前記第三の群は、２ｎ個の赤色光を発する発光ダイオードと、ｎ個の黄色光を発する発光ダイオードとで構成される単位の列から成り、ｎ個の前記黄色光を発する発光ダイオードは、前記赤色光を発する発光ダイオード２ｎ個のうちｎ個と残りのｎ個の間にすべて配置されることを特徴とする、光源装置。
【請求項１７】
前記第三の群と前記第一の群の間の距離が、前記第三の群と前記第二の群の間の距離と等しい、請求項１６の光源装置。
【請求項１８】
前記第一および第二の群に属する発光ダイオードが前記２の直線の上にそれぞれ配置され、前記第三の群に属する発光ダイオードが前記２の直線の間に直線に沿って配置される、請求項１６または１７の光源装置。
【考案の詳細な説明】
【考案の詳細な説明】
【技術分野】
【０００１】  本考案は光源装置に関する考案であって、特に、エネルギー効率のすぐれた発光体を用い、陳列棚や陳列物自体に映る光源の反射像が陳列物の色彩に与える影響を軽減し、陳列物が自然に近い色彩に見えるようにした光源装置に関する。
【背景技術】
【０００２】  商品や標本類を陳列するショーケース（陳列棚等を含む）には、通常、それらを照明するための光源が設けられている。光源として比較的最近までは白熱灯や蛍光灯が用いられてきた。【０００３】  ２０世紀半ばに、それまで主要な光源として用いられた白熱灯は、エネルギー効率の面で有利な蛍光灯にその地位を奪われた。白熱灯の場合には陳列物に対する演色性がさほど問題にされなかったが、蛍光灯に関しては、効率の優位性の反面、その演色性が大きな課題となっていた。蛍光灯の演色性を改良するために努力が重ねられ、最近では特許文献１、同２が開示されている。【０００４】  ２０世紀末に、蛍光灯よりさらにエネルギー効率のすぐれた発光ダイオードが発達し、その普及が進んでいる。色彩科学の進歩もあって、発光ダイオードについても演色性が大きな課題となっている。発光ダイオードの演色性を改良する技術として、例えば特許文献３、同４が開示されているが、努力の多くは暖色化に向けられている。【０００５】
【特許文献１】  特許第３５９５２１８号公報
【特許文献２】  特開平６−４４９４７号公開公報
【特許文献３】  特開２００３−４５２０６号公開公報
【特許文献４】  特開２００４−１１１３５７号公開公報
【考案が解決しようとする課題】
【０００６】  陳列物の照明のためショーケース等に設けられる光源は、観察者から直接見えると眩しいので、ショーケースの奥に向かって照明するように配置され、観察者との間に庇状などの遮光材を設けて、光源自体は観察者から見えないようにしている。しかし、光源の種類を問わず、陳列棚や陳列物自体にその反射像が映り、それが観察者に見える。この反射像は第二の光源（虚像）となり、その輝度は陳列物全体からの反射光より大きいから、陳列物の見え方に大きく影響する。光源の反射像が陳列物と同時に見えるとき、光源の演色性は陳列物の色彩に少なからず影響を与える。特に、赤味を帯びた色調の陳列物は、色温度の高い（冷色）光源により色調が著しく不自然になる。
【０００７】  ショーケースの光源として発光ダイオードを用いる場合には、１個の発光ダイオードでは光量が小さいため、白熱電球や蛍光灯と異なり、多数の発光ダイオードの集合体が用いられる。この集合体は、点状に散在する小さい光源の群として見える。反射像ももちろん、点状に散在する発光ダイオードの像の集合となって見える。点状に散在するこれらの反射像は、白熱灯や蛍光灯よりも輝度が高いから、その演色性が陳列物の色彩に与える影響は後者より大きい。
【０００８】  それ故本考案の目的は、エネルギー効率のすぐれた発光体を用い、陳列棚や陳列物自体に映る光源の反射像が陳列物の色彩に与える影響を軽減し、陳列物が自然に近い色彩に見える光源装置を実現することにある。
【課題を解決するための手段】
【０００９】  上記目的を達成するため、本考案の光源装置は、陳列物等を照明するための光源装置において、複数の発光ダイオードの少なくとも３の群から成り、第一および第二の群は白色光を発する発光ダイオードから成り、第三の群は赤色光を発する発光ダイオードと黄色光を発する発光ダイオードとから成り、第一および第二の群に属する発光ダイオードは、互いに平行な２（本）の直線または円弧の上にそれぞれ配置され、第三の群に属する発光ダイオードは、これら（２本）の直線または円弧の間に、それらと平行なまたは平行に近い直線または円弧に沿って配置され、発光ダイオードの第三の群は、赤色光を発する２個の発光ダイオードと、それらの間に位置する１個の黄色光を発する発光ダイオードとで構成される単位の列から成ることを特徴とする。
【００１０】  発光ダイオードの第三の群は、第一および第二の群がそれぞれ配置される２本の直線または円弧と平行な、または平行に近い、直線または円弧に沿って配置する。この場合、第三の群と第一の群の間の距離と、第三の群と第二の群の間の距離が、等しくなるようにしてもよく、それが好ましい。第一及び第二の群を直線上に、第三の群も直線に沿って配置するのが、装置の製作を簡単にする上で好ましい。第三の群の発光ダイオードの全てが厳密に直線または円弧の上にある必要はなく、直線または円弧にほぼ沿って配置されればよい（具体的には後に述べる）。
【００１１】  発光ダイオードの第三の群は、２個の赤色光発光ダイオード（以下、赤発光ダイオードということがある）と、その間に配置された１個の黄色光発光ダイオード（以下、黄発光ダイオードということがある）で構成される単位の列から成る。単位の列において、二つの単位が重なることはない。黄発光ダイオードを２個の赤発光ダイオードの間の中央付近に配置するのが特に好ましい。これにより、両者からの発光の色の複合による効果が高められる。
【００１２】  発光ダイオードの第三の群を構成する前述の単位は、複数存在するとき、それらを直接隣接して配列することが有利である。すなわち、第一の単位の赤色光発光ダイオードが第二の単位のそれと隣接するような構成が有利である。隣接する単位の間隔は一定でもよいし、異なってもよい。隣接する単位の外側の赤発光ダイオードの間の距離は、単位中の赤発光ダイオードとその中間に配置される黄色光発光ダイオードの間隔と等しくてもよいし、異なってもよい。例えば、前者が後者より大きくてもよい。
【００１３】  単位の軸、すなわち、黄発光ダイオードとそれをはさむ２個の赤発光ダイオードとを結ぶ線分は、第三の群を配列した直線と重なるのが好ましいが、後者に対して若干傾斜（例えば２０度）していてもよい。
【００１４】  第一の群の各発光ダイオードおよび前記第二の群の各発光ダイオードは、平行な直線または円弧上に、それぞれ等間隔に配置してもよい。発光ダイオードの間隔を第一の群と第二の群について等しくしてもよい。特に、第三の群が第一の群と第二の群の中央に位置する場合には、第一と第二の群の発光ダイオードの間隔を等しくすると、反射像が整然として、良い印象を与える。
【００１５】  発光ダイオードの第一の群と第二の群が、それぞれ色度の同じ白色光（群全体として）を発するようにしてもよい。しかし、色度の互いに異なる白色光を発するようにすることもできる。
【００１６】  発光ダイオードの第一の群および第二の群は、それぞれ、２種以上の色度の異なる複数の発光ダイオードから成ってもよい。３種、４種またはそれ以上の、色度の異なる複数の発光ダイオードから成ってもよい。色度の異なる発光ダイオードは、例えば、一方が青色光発光ダイオード、他方が青色光により励起されて緑色、黄色、または赤色の蛍光を発する蛍光体を保持する発光ダイオードであってもよい。
【００１７】  発光ダイオードの第一および第二の群は、それらが複合して、陳列物に対して可能な限り良好な演色性をもたらす色度の白色光光源を構成することが望ましい。
【００１８】  第一および第二の群の白色光発光ダイオードとしては、特開２００３−４５２０６号、特開２００３−１０１０８１等、特開２００３−１１０１５１号、特開２００３−３１８４４７号、特開２００４−１０３４４３号、特開２００６−５４３７１号、特開２００６−６６７３０号等に開示されたものを利用することができる。
【００１９】  第三の群の赤発光ダイオードおよび黄発光ダイオードとしては、青色光または紫色光（もしくは紫外線）発光ダイオードと所要の蛍光体との組み合わせを用いることができる。このような組み合わせに関しては、公知のものを用いることができる。
【００２０】  第三の群を必須に構成する単位は、２個の赤色光発光ダイオードとその間に配置される黄色光発光ダイオードとの間に、緑色光を発する別の発光ダイオードを有してもよい。緑色光発光ダイオードは、単位あたり１個でも、２個以上含まれてもよい。赤色光発光ダイオードと黄色光発光ダイオードとの間にそれぞれ同じ個数（例えば１個ずつ）配置することもできる。
【００２１】  第三の群を２以上の単位から成るものとしたとき、それらの少なくとも１は赤色光発光ダイオードと黄色光発光ダイオードのみから成り、他の少なくとも１の単位が緑色光発光ダイオードをも有するようにしてもよい。
【００２２】  第三の群を必須に構成する単位は、２個の赤色光発光ダイオードとその間に配置される黄色光発光ダイオードとの間に、青色光を発する別の発光ダイオードを有してもよい。青色光発光ダイオードは、単位あたり１個でも、２個以上含まれてもよい。赤色光発光ダイオードと黄色光発光ダイオードとの間にそれぞれ同じ個数（例えば１個ずつ）配置することもできる。
【００２３】  第三の群を２以上の単位から成るものとしたとき、それらの少なくとも１は赤色光発光ダイオードと黄色光発光ダイオードのみから成り、他の少なくとも１の単位が青色光発光ダイオードをも有するようにしてもよい。
【００２４】  陳列物は商品であっても、また標本類であってもよい。光源装置には、観察者との間に庇等の被覆体を設けて、光源を観察者に対し部分的に覆い、光源が観察者に直接見えないようにすることが好ましい。
【考案の効果】
【００２５】  本考案によると、エネルギー効率がすぐれ、陳列棚や陳列物自体に映る光源の反射像が陳列物の色彩に与える影響を軽減し、陳列物が自然に近い色彩に見える光源装置を、実現できる。それだけでなく、陳列物の周辺の光源の反射像の美観も改善される。
【００２６】  本考案の光源装置は、発光体として発光ダイオードを用いているので、白熱灯や冷陰極蛍光灯に比べてエネルギー効率がよい。
【００２７】  本考案の光源装置によると、陳列棚や陳列物自体に映る光源の反射像が陳列物の色彩に与える影響が軽減されるため、陳列物は一層自然に近い色彩に見える。
【００２８】  陳列物の照明のためショーケース等に設けられる光源装置には、一般に遮光材を設けて、光源自体が観察者から見えないようにしている。しかし、光源の種類を問わず、陳列棚（一般にガラスやステンレス板などが多い）や陳列物自体にその反射像が映り、それが観察者に見える。この反射像は第二の光源（虚像）となり、その輝度は陳列物全体からの反射光よりはるかに大きいから、陳列物の見え方に大きな影響を与える。すなわち、陳列物と同時に光源の反射像が見えるとき、陳列物の色彩に対して光源の演色性が与える影響は著しい。特に、生肉類、焦げ目をつけたケーキ類、イチゴ等の赤い果物など、赤味を帯びた色調の陳列物は、色温度の高い（冷色）光源の反射像によって色調が著しく不自然になる。前述の通り、これが従来の技術における大きな問題であった。
【００２９】  ショーケースの光源として発光ダイオードを用いる場合には、１個の発光ダイオードでは光量が小さいため、通常、多数の発光ダイオードの集合体が用いられる。この集合体は、点状に散在する小さい光源の群として見える。従ってその反射像も、点状に散在する発光ダイオードの像の集合となって見える。これらの反射像は、白熱灯や蛍光灯のそれよりも輝度が高いから、その演色性が陳列物の色彩に与える影響は意外に大きいということが経験された。
【００３０】  本考案の光源装置は、複数の発光ダイオードの少なくとも３の群から成るものとし、第一および第二の群は白色光を発する発光ダイオードから成り、第三の群は赤色光と黄色光をそれぞれ発する発光ダイオードから成ること、第一および第二の群に属する発光ダイオードは、互いに平行な２（本）の直線または円弧の上にそれぞれ配置され、第三の群に属する発光ダイオードは、これらの直線または円弧の間に、それらとほぼ平行な直線または円弧に沿って配置されること、さらに第三の群は、２個の赤発光ダイオードと、それらの間（好ましくは中央）に位置する１個の黄発光ダイオードとで構成される単位から成ることを要件とすることにより、白熱灯や蛍光灯よりも輝度の高い反射像が陳列物上やその付近に生じても、光源の演色性が陳列物の色彩に与える影響は著しく軽減された。
【００３１】  本考案のこのような効果は、光源装置を発光色の異なる複数種の発光ダイオードの組み合わせで構成し、それらの個数の比を調節して、所要の色度を得るという単純な技術思想ではなく、２列に配列された白色光発光ダイオード群の列の間に、２個の赤発光ダイオードの間に１個の黄発光ダイオードが挟まれた構成の単位の列が位置するという、本考案固有の配置により、初めて得られた効果である。
【００３２】  本考案の光源装置のこのような発光体配置により、生肉類、焦げ目をつけたケーキ類、イチゴ等の赤い果物など、赤味を帯びた色調の陳列物が、極く自然な色調に見えるという、予測を超える効果が得られた。
【００３３】  第三の群を構成する単位の少なくとも一部が緑色光発光ダイオードをも具える光源装置は、照明される陳列物が葉物などの緑色野菜類であるとき、その色調がごく自然に見える。
【００３４】  第三の群を構成する単位の少なくとも一部が青色光発光ダイオードをも具える光源装置は、照明される陳列物がジーンズなどの紺または青色の衣類であるとき、その色調がごく自然に見える。
【００３５】  さらに、所要の照明効果を得るために多数の光源装置を配列するとき、棒状の白熱灯や直管の蛍光灯を規則的に配列すると、その反射像の作る模様が格子状などになり、目にうるさく感じられ、美的でないのに対し、本考案の光源装置は点状の発光ダイオードの反射像が星空の銀河のように散りばめられて、美しく感じられる。
【考案を実施するための最良の形態】
【００３６】（第一の実施の形態）
図１および図２は、本考案の光源装置の第一の実施の形態を示す。光源装置１は基板２、それに固定された白色光発光ダイオード３ａ，３ｂ、赤発光ダイオード４、黄発光ダイオード５、設置のための固定用ネジ６を具える。【００３７】  白色光発光ダイオード３ａおよび同３ｂは、平行な２本の直線上にそれぞれ配置され、この２本の直線の間の中央に位置する直線上に赤発光ダイオード４と黄発光ダイオード５が設けられている。黄発光ダイオード５は２個の赤発光ダイオード４の中央に位置し、２個の赤発光ダイオード４と１個の黄発光ダイオード５とで１単位を構成している。単位の間隔（端の間）は赤発光ダイオード４と黄発光ダイオード５の間隔より大きくされている。光源装置１は固定用ネジ６により設置場所に固定することができる。【００３８】（第一の形態の効果）
光源装置１をショーケースの照明に用いたところ、チーズケーキの焦げ目や、ショートケーキ上のイチゴがごく自然に見えた。【００３９】（第二の実施の形態）
図３は本考案の第二の実施の形態を示す。光源装置１１は基板２、白色光発光ダイオード３ａ，３ｂ、赤発光ダイオード４、黄発光ダイオード５、緑発光ダイオード７、固定用ネジ６を具える。【００４０】  白色光発光ダイオード３ａ，３ｂ、赤発光ダイオード４、黄発光ダイオード５の位置関係は第一の実施の形態と類似しているが、赤発光ダイオード４と黄発光ダイオード５とで構成する単位に２系統ある点で異なる。単位ＲＹ１は第一の実施の形態と同じであるが、単位ＲＹ２は赤発光ダイオード４と黄発光ダイオード５の間隔が単位ＲＹ１よりやや広く、両者の間に緑発光ダイオード７がそれぞれ配置されている。【００４１】（第二の形態の効果）
光源装置１１は緑色野菜類を陳列物とする場合に好適であった。【００４２】（第三の実施の形態）
図４は本考案の第三の実施の形態を示す。光源装置２１は基板２、白色光発光ダイオード３ａ，３ｂ、赤発光ダイオード４、黄発光ダイオード５、青発光ダイオード８、固定用ネジ６を具える。【００４３】  白色光発光ダイオード３ａ，３ｂ、赤発光ダイオード４、黄発光ダイオード５の位置関係は第一の実施の形態と類似しているが、赤発光ダイオード４と黄発光ダイオード５とで構成する単位に２系統ある点で異なる。単位ＲＹ１は第一の実施の形態と同じであるが、単位ＲＹ３は赤発光ダイオード４と黄発光ダイオード５の間隔が単位ＲＹ１よりやや広く、両者の間に青発光ダイオード８がそれぞれ配置されている。【００４４】（第三の形態の効果）
光源装置２１は青色、紺色等の衣類を陳列物とする場合に好適である。
【実施例】
【００４５】  第一の実施の形態による光源装置をショーケースの照明装置として用い、陳列物の色調の見え具合を従来のＬＥＤ光源装置と比較した。【００４６】装置Ｉ（本考案による）
第一群および第二群の白色光ＬＥＤとして、下記消費電力、光度および色度座標を有する発光ダイオードを用いた。
消費電力  約５．８Ｗ
光度      約２５００ｍｃｄ
色度座標  ｘ＝０．２９  ｙ＝０．３１
第三群の赤および黄発光ＬＥＤとして下記性能の市販品を用いた。
消費電力    約５２０ｍＷ（共通）
光度        約５００ｍｃｄ（共通）
主発光波長  赤発光ＬＥＤ  約６３０ｎｍ
黄発光ＬＥＤ  約５６０ｎｍ
第一および第二群の白色光ＬＥＤは、１５ｍｍを隔てた２直線の上にいずれも７．５ｍｍ間隔（中心）で３０個配列した。第三群のＬＥＤは、この２直線の中央を通る直線の上に、１４ｍｍ間隔（中心）で設けた２個の赤発光ＬＥＤの間の中央に黄発光ＬＥＤを配置して１組とし、次の組と中心（黄発光ＬＥＤ）間隔が２８ｍｍになるよう離して反復配列した。【００４７】装置ＩＩ（白色光発光ダイオードを用いた比較用光源）
装置Ｉの第三群ＬＥＤの列の位置に、赤および黄発光ＬＥＤの代わりに第一および第二群と同じ白色光ＬＥＤの列を設けた。【００４８】  装置Ｉをショーケースの上面からの照明装置として用い、チーズケーキの上面の焦げ目の色合いを見たところ、外光の入る室内と同様の自然な色合いに見えた。しかし装置ＩＩでは焦げ目がやや暗い色調に見え、旨そうな感じを充分与えなかった。【００４９】  同じくショーケース内にイチゴが乗ったショートケーキを置いたとき、照明に装置Ｉを用い場合には、イチゴが外光の下と同様に自然に見えたが、装置ＩＩではイチゴが充分鮮明な赤色には見えず、幾分暗い赤色に見えた。
【図面の簡単な説明】
【図１】  本考案の光源装置の第一の実施の形態の平面図
【図２】  本考案の光源装置の第一の実施の形態の側面図
【図３】  本考案の光源装置の第二の実施の形態の平面図
【図４】  本考案の光源装置の第三の実施の形態の平面図
【符号の説明】
１    光源装置
２    基板
３ａ，３ｂ  白色光発光ダイオード
４    赤発光ダイオード
５    黄発光ダイオード
６    固定用ネジ
７    緑発光ダイオード
８    青発光ダイオード
１１，２１              光源装置
ＲＹ１，ＲＹ２，ＲＹ３  単位
【図１】
0003132253.tif 000003
【図２】
0003132253.tif 000004
【図３】
0003132253.tif 000005
【図４】
0003132253.tif 000006